【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】  以下の成分（Ａ）および（Ｂ）の有効含有量を含む除草剤配合物：
（Ａ）ヘテロアリールオキシ−およびアリールオキシ−フェノキシプロピオン酸、それらの塩およびエステル並びにシクロヘキサンジオン（Ａ１.１）から（Ａ１.７）および（Ａ２.１）から（Ａ２.４）から成る群から選ばれる１つまたは２つ以上の除草剤、
（Ａ１.１）フェノキサプロプ−Ｐおよびそのエステル並びにフェノキサプロプおよびそのエステル、
（Ａ１.２）キザロフォップ−Ｐおよびそのエステル並びにキザロフォップおよびそのエステル、
（Ａ１.３）プロパキザフォップ、
（Ａ１.４）フルアジフォップ−Ｐおよびそのエステル並びにフルアジフォップおよびそのブチルエステル、
（Ａ１.５）ハロキシフォップ−Ｐおよびそのエステル並びにハロキシフォップおよびそのエステル、
（Ａ１.６）シハロフォップおよびそのエステル、
（Ａ１.７）クロジナフォップおよびそのエステル、
（Ａ２.１）セトキシジム、
（Ａ２.２）シクロキシジム、
（Ａ２.３）クレトジムおよび
（Ａ２.４）クレフォキシジム、
および、
（Ｂ）各事例で含有される除草剤（Ａ）とは構造的に異なり、以下から成る化合物群から選ばれる１つまたは２つ以上の除草剤、
（Ｂ１）イネで選択性を示し、主に有害単子葉植物に対抗するブタクロル、および
（Ｂ２）イネで選択性を示し、主に有害双子葉植物およびカヤツリグサ科に対抗し、以下から成る群から選ばれる除草剤、
（Ｂ２.１）ジカムバ、
（Ｂ２.２）カルフェントラゾンおよびそのエステル、
（Ｂ２.３）ピクロラムおよびその塩、および
（Ｂ２.４）トリトスルフロン、および
−ここで、活性化合物（Ａ１.３）、（Ａ１.４）、（Ａ１.５）、（Ａ１.６）、（Ａ２.
１）、（Ａ２.２）、（Ａ２.３）または（Ａ２.４）の場合には、下記化合物を除草剤活性を有する群（Ｂ２）の組合せ化合物として単独または上記の活性化合物と併用して使用することもまた可能であり、
（Ｂ２.５）アシフルオルフェン、
（Ｂ２.６）２,４−Ｄおよびそのエステルおよび塩、
（Ｂ２.７）ＭＣＰＡおよびそのエステルおよび塩、
（Ｂ２.８）メコプロプまたはメコプロプ−Ｐおよびそのエステルおよび塩、
（Ｂ２.９）クロリムロンおよびそのエステル、
（Ｂ２.１０）トリアスルフロンおよび
（Ｂ２.１１）イオキシニルおよびそのエステルおよび塩、および
−ここで活性化合物（Ａ１.１）の場合には、
（Ｂ２.５）アシフルオルフェンおよびその塩を用いることも可能であるが、ただし以下の組合せは除く：
（ａ）ハロキシフォップおよびブタクロル、ジカムバ、２,４−Ｄ、ＭＣＰＡ、メコプロプおよび／またはイオキシニル、
（ｂ）ハロキシフォップおよびアシフルオルフェン、
（ｃ）ハロキシフォップ−メチルおよびピクロラム、
（ｄ）セトキシジムおよび２,４−Ｄまたはアシフルオルフェンまたはクロリムロン、
（ｅ）フルアジフォップ−ブチルおよびＭＣＰＡまたは２,４−Ｄまたはメコプロプ、
（ｆ）フェノキサプロプ（−Ｐ）−エチルおよびジカムバ。
【請求項２】  成分（Ａ）として以下から成る群の１つまたは２つ以上の除草剤を含む請求項１に記載の除草剤配合物：
（Ａ１.１）フェノキサプロプ−Ｐおよびそのエステル並びにフェノキサプロプおよびそのエステル、
（Ａ１.２）キザロフォップ−Ｐおよびそのエステル並びにキザロフォップおよびそのエステル、
（Ａ１.３）プロパキザフォップ、
（Ａ１.４）フルアジフォップ−Ｐおよびそのエステル並びにフルアジフォップおよびそのブチルエステル、
（Ａ１.５）ハロキシフォップ−Ｐおよびそのエステル並びにハロキシフォップおよびそのエステル、
（Ａ１.６）シハロフォップおよびそのエステル、
（Ａ１.７）クロジナフォップおよびそのエステル。
【請求項３】  成分（Ａ）としてフェノキサプロプ−Ｐ−エチルを含む請求項１または２に記載の除草剤配合物。
【請求項４】  成分（Ａ）として以下から成る群の１つまたは２つ以上の除草剤を含む請求項１に記載の除草剤配合物：
（Ａ２.１）セトキシジム、
（Ａ２.２）シクロキシジム、
（Ａ２.３）クレトジムおよび
（Ａ２.４）クレフォキシジム。
【請求項５】  以下の成分（Ａ）、（Ｂ）および（Ｃ）の有効量を含む除草剤配合物：
（Ａ）は、フェノキサプロプ−Ｐ−エチルまたはフェノキサプロプ−エチルであり、
（Ｂ）は、エトキシスルフロンまたはベンスルフロン−メチルであり、さらに、
（Ｃ）は、モリネートまたはキンクロラクである。
【請求項６】  異なる種類の作物保護剤、作物保護で慣習的な添加物および製剤補助剤から成る群から選ばれる１つまたは２つ以上の他の成分を含む、請求項１〜５のいずれかに記載の除草剤配合物。
【請求項７】  請求項１〜６のいずれかで定義される除草剤配合物の除草剤を一緒に
、または別々に出芽前、出芽後、または出芽前後の方法によって植物、植物の部分、植物の種子、または耕作下領域に散布することを含む有害植物を制御する方法。
【請求項８】  イネ作物中の有害植物の選択的制御のための請求項７に記載の方法。
【請求項９】  イネ作物中の有害植物を制御するための、請求項１〜６のいずれかに定義された除草剤配合物の使用。
【手続補正２】
【補正対象書類名】明細書
【補正対象項目名】００１１
【補正方法】変更
【補正の内容】
【００１１】
（Ａ１.３）“プロパキザフォップ”（ＰＭ、pp. 1021-1022参照）、キザロフォップ−Ｐの２−イソプロピリデンアミノオキシエチルエステル、および／または
（Ａ１.４）“フルアジフォップ−Ｐ”およびそのエステル、例えばブチルエステル（ＰＭ、pp. 556-557参照）（＝（Ｒ）−２−〔４−（５−トリフルオロメチルピリジ−２−イルオキシ）フェノキシ〕プロピオン酸またはそのブチルエステル）、さらにラセミ体“フルアジフォップ”およびそのエステルの使用形態、および／または
（Ａ１.５）“ハロキシフォップ”およびそのエステル、例えばメチルエステル（ＰＭ、pp. 660-663参照）（＝（Ｒ）−２−〔４−（３−クロロ−５−トリフルオロメチルピリジ−２−イルオキシ）フェノキシ〕プロピオン酸またはそのメチルエステル）、さらにラセミ体“ハロキシフォップ”およびそのエステルの使用形態、例えばメチルまたはエトチルエステルおよび／または
（Ａ１.６）“シハロフォップ”およびそのエステル、例えばブチルエステル（ＰＭ、pp. 297-298参照）（＝（Ｒ）−２−〔４−（４−シアノ−２−フルオロフェノキシ）フェノキシ〕プロピオン酸またはそのブチルエステル）および／または
（Ａ１.７）“クロジナフォップ”およびそのエステル、例えばプロパルジルエステル（ＰＭ、pp. 251-252参照）（＝（Ｒ）−２−〔４−（５−クロロ−３−フルオロピリジ−２−イルオキシ）フェノキシ〕プロピオン酸またはそのプロパルジルエステル）。
【手続補正３】
【補正対象書類名】明細書
【補正対象項目名】００１８
【補正方法】変更
【補正の内容】
【００１８】
下記でさらに詳述する群（Ｂ１）および群（Ｂ２）から（Ｂ４）において各事例で同じ化学分類に属する活性化合物は、それらがいくつかの使用属性で互いに特に類似していることから、各事例について好ましいサブグループである。
したがって上記の活性化合物（Ｂ１.１）から（Ｂ１.８）はアニリドまたはクロロアセトアニリドであり、これらは主として特に有害な草類、例えば一年草に対して活性であり、イネの中で用いることができる。さらに、ブタクロルおよびプレチラクロルはまた、イネに混じるいくつかの広葉雑草もカバーし、ナプロアニリド、プロパニルおよびエトベンザニドは、草類、例えばエキノクロア（Echinochloa)亜種、ディジタリア（Digitaria)亜種、セタリア（Setaria)亜種、パニクム（Panicum）亜種の他に、広葉雑草、例えばアマラントゥス（Amaranthus）亜種にも活性範囲を有する。